(57)【要約】【課題】利用価値が広く用途が多様であるアーム式固定型取り付け器具を提供する。【解決手段】本考案のアーム式固定型取り付け器具は、軸と固定ユニットからなる。その軸には軸心があり、この軸心の円周の表面に、複数の長い突起レールが設けられている。それぞれの突起レールの間にはすきまがあって、さらに、突起レールと軸心の間には内側に収縮した幅のせまい接続部分があって、はさんで固定しやすいようになっている。それに対応して接続部分の両側にはくぼみ部分がある。この取り付け器具にホルダーを取り付けて、アームを組み合わせることにより、物品を掛けることができる。本考案のアーム式固定型取り付け器具は、単一あるいは複数のホルダーを同時に、並列あるいは各方向に交差させて設置することが可能であり、突起レールによって高さの異なる上下に配置することも可能である。【選択図】図3
0003110757.tif 000002
【実用新案登録請求の範囲】
【請求項１】
軸及び固定ユニットからなり、
この軸は軸心と複数の突起レールからなり、この軸心は長い筒状で、その周縁の表面には複数の長い突起レールが設けられていて、さらに、各突起レールの間にはすきまがあり、突起レールと軸心の間には内側に収縮した幅のせまい接続部分があって、はさみやすくなっていて、それに対応して接続部分の両側にはくぼみ部分があり、
固定部分は、上述の軸心及び複数の突起レールに互いに連結していて、
アームを取り付けたホルダーが突起レールの間のすきま及び接続部分両側のくぼみ部分によって、取り付け器具に固定され、同時に、複数の突起レールがあることで、複数のアームを固定できるという特長を持つ、アーム式固定型取り付け器具。
【請求項２】
複数の突起レールが軸心と一体成型されている、請求項1に記載のアーム式固定型取り付け器具。
【請求項３】
複数の突起レールが等角度、等間隔で軸心の周縁表面に設置されていて、突起レールの間に同じ幅ですきまを形成するという特長を持つ、請求項1に記載のアーム式固定型取り付け器具。
【請求項４】
複数の突起レールが不規則な間隔で軸心の周縁表面に設置されている、請求項1に記載のアーム式固定型取り付け器具。
【考案の詳細な説明】
【技術分野】
【０００１】
本考案はアーム式固定型取り付け器具に関する。本考案のアーム式固定型取り付け器具は、単一あるいは複数の物晶をそれぞれ並列にあるいは交互に交差させて、突起レールの上に異なった高さで上下に配置することができるので、利用価値が広く用途が多様であるという特長を持つ。
【背景技術】
【０００２】
従来、モニターの取り付け器具は、たいてい直立式か掛ける形のアーム式である。直立式は台座の上にモニターを取り付け、その台座を机の上に置いて使用するようになっている。また、掛ける形のアーム式は机の縁にはさむ形式の取り付け器具を固定し、曲げたり、角度を調整したりできるアームによって、モニターを空中にぶら下げる方式を採っている。
【考案の開示】
【考案が解決しようとする課題】
【０００３】
しかしながら、上述の構造はいずれも、単一のモニターのみに使用し、複数のモニターを取り付けて使用することはできない。ただ、一人のユーザーに対応するだけである。例えば、展覧会場のように同時に数台のモニターを使用する必要がある場合、複数の取り付け器具を使用することになる。これは、空間を取る上、見た目もすっきりしないと同時に、取り付けや片付けに要する時間も無駄になり、極めて不便である。さらに、従来の取り付け器具は平面にしか置けない。軸を調節することで前後の角度は調節できるものの、高さは調節できない。したがって、従来の取り付け器具には改善すべき点が多々あると言える。
【課題を解決するための手段】
【０００４】
本考案のアーム式固定型取り付け器具は、軸と固定ユニットからなる。その軸には軸心があり、この軸心の円周の表面に、複数の長い突起レールが設けられている。それぞれの突起レールの間にはすきまがあって、さらに、突起レールと軸心の間には内側に収縮した幅のせまい接続部分があって、はさんで固定しやすいようになっている。それに対応して接続部分の両側にはくぼみ部分がある。この取り付け器具にホルダーを取り付けて、アームを組み合わせることにより、物品を掛けることができる。本考案のアーム式固定型取り付け器具は、単一あるいは複数のホルダーを同時に、並列あるいは各方向に交差させて設置することが可能であり、突起レールによって高さの異なる上下に配置することも可能であるため、利用価値が広く用途が多様であるという特長を持つ。
【考案の効果】
【０００５】
本考案のアーム式固定型取り付け器具には、長い突起レールがあって、単一あるいは複数の物品をそれぞれの高さで固定できるため、利用価値が広く用途が多様であるという効果がある。
また、本考案のアーム式固定型取り付け器具は、その突起レールが軸心の表面にリング状に設けられていることにより、異なった方向に一人の使用者が単独で、あるいは、複数の使用者が同時に使用することができるため、非常に便利である。
さらに、本考案のアーム式固定型取り付け器具は、組立が簡単で、取り付け器具とアームが別々に設置できるようになっているため、収納しやすく、空間も取らないという効果がある。
【考案を実施するための最良の形態】
【０００６】
図１及び図2を参照いただきたい。本考案のアーム式固定型取り付け器具は、軸１、固定ユニット2からなる。この軸1は軸心１１と複数の突起レール12からなり一体成型されている。その一端はキャッブ3によって装飾され、もう一端は固定ユニット2が取り付けられる。この軸心11は長い筒状で、その周縁の表面には等角度、等間隔でリング状に複数の長い突起レール12が設けられている。さらに、突起レール12と軸心11の間には内側に収縮した幅のせまい接続部分12１があって、はさみやすくなっている。それに対応して接続部分121の両側にはくぼみ部分122がある。
【０００７】
この取り付け器具にホルダー10を取り付けて、アーム20を組み合わせることにより、物品を掛けることができる。ここで、液晶モニター30を例として説明する。取り付け器具の突起レール１2の間のすきま13及び接続部分121両側のくぼみ部分122によって、ホルダー10を締め付けパーツ101で固定し、ホルダー10が脱落するのを防ぐ。そして、ホルダー10とアーム20を接続させて物晶を設置するのである。
【０００８】
さらに、本考案の実施方法及び実施例を説明する。図3から図7を参照いただきたい。まず、図3を参照いただきたい。いずれの突起レール12もホルダー10を取り付けられるようになっている。この突起レール12は、軸1の表面にリング状に設けられている。このため、この軸１の周縁のいずれの突起レール12にも単一あるいは複数のホルダー10が同時に、並列にあるいは各方向に交差させて設置することが可能である。さらに、突起レール12にハブ40を設置して、液晶モニター30のコードをすっきりさせることができる。
【０００９】
そして、この突起レール１2は軸1の上に長い棒状に設置されていることにより、図4に示すように、ホルダー１0が単一あるいは複数で同時に縦状に設置することが可能である。もし、.単一のホルダー10を突起レール12に設置する場合は、このホルダー１0は突起レールユ2の上で異なる高度で上下に配置することが可能である。また、この突起レール12は不規則な間隔で軸1の周縁に設置することができる。図5を参照いただきたい。空間環境に応じて、突起レール12を不規則な空間で配列することにより、ホルダー１0を好きな位置に配置することが可能になる。上述の各種実施例に説明したように、このホルダー１０はアーム20あるいはその他の掛けるタイブのパーツと組み合わせて使用することが可能である。図6、図7のように、液晶モニター30を設置すると、展覧会等で、一人のユーザーにも、複数同時にでも対応することができる。
【図面の簡単な説明】
【００１０】
【図１】本考案の立体外観図である。
【図２】本考案の立体分解図である。'
【図３】本考案のアーム式固定型取り付け器具の、単一あるいは複数のホルダーが突起レールの上にリング状に設置されている状態を示した実施例図である。
【図４】本考案のアーム式固定型取り付け器具の、単一あるいは複数のホルダーが突6起レールの上に縦式に設置されている状態を示した実施例図である。
【図５】本考案のアーム式固定型取り付け器具の、突起レールが不規則な間隔で軸心の上に設置されている状態を示した断面図である。
【図６】本考案のアーム式固定型取り付け器具に、単一の液晶モニターを取り付けた状態を示した実施例図である。
【図７】本考案のアーム式固定型取り付け器具に、複数の液晶モニターを交差させて取り付けた状態を示した実施例図である。
【符号の説明】
【００１１】
10  ホルダー
101  締め付けパーツ
20  アーム
30  液晶モニター
40  ハブ
1  軸
11  軸心
12  突起レール
121  接続部分
122  くぼみ部分
13  すきま
2  固定ユニット
3  キャップ
【図１】
0003110757.tif 000003
【図２】
0003110757.tif 000004
【図３】
0003110757.tif 000005
【図４】
0003110757.tif 000006
【図５】
0003110757.tif 000007
【図６】
0003110757.tif 000008
【図７】
0003110757.tif 000009